(57)【特許請求の範囲】
【請求項１】
電子鍵盤楽器における打鍵の動作並びに強弱を光電的に検出するための鍵センサーにおいて、鍵の動作に応じてセンサー受光部への入射光を変化せしめるために鍵裏面に取り付けられるシャッターが、鍵裏面の木製芯材に対して打ち込み固定可能な突起部とセンサー受光部への入射光を変化せしめるためのシャッター本体とが形成された金属薄板であって、前記突起部は一部に鍵裏面と平行する面を残して鍵裏面方向に直角に曲げ加工され、前記シャッター本体は前記突起部と反対方向に直角に曲げ加工されて形成されたことを特徴とする電子鍵盤楽器の鍵センサー用シャッターの構造。
【請求項２】
前記鍵裏面方向に直角に曲げ加工された薄板突起部の配置方向と鍵盤木部の木理方向が一致していることを特徴とする請求項１記載の電子鍵盤楽器の鍵センサー用シャッターの構造。
【請求項３】
電子鍵盤楽器における打鍵動作並びに強弱を光電的に検出するための鍵センサーの取り付け方法において、鍵盤の鍵数に相当する一群の光電センサーと同じ間隔を有するシャッター取り付け治具に対して、鍵裏面の木製芯材に対して打ち込み固定可能な突起部を上向きとして配設し、該シャッターの配設された治具を該電子鍵盤楽器の棚板又は筬上の光電センサー取り付け位置に配設し、その上にそれぞれの鍵を配置し、さらに各鍵を下方に押圧して前記治具上の各シャッターの打ち込み固定可能な突起部を鍵裏面の木製芯材に対して打ち込み固定し、その後治具を取り外し、該取り外し跡に一群の光電センサーを取り付け固定することを特徴とする電子鍵盤楽器における鍵センサー取り付け方法。
【発明の詳細な説明】
【０００１】
【発明の属する技術分野】
本発明は、電子鍵盤楽器における打鍵の動作並びに強弱を光電的に検出するための鍵センサーにおいて、鍵の動作に応じてセンサー受光部への入射光を変化せしめるために鍵裏面に取り付けられるシャッターの構造ならびに該シャッターの取り付け方法に関する。
【０００２】
【従来の技術】
電子鍵盤楽器の打鍵の動作並びに強弱を検出するために、複数のセンサー受光部への入射光の変化並びに時間差を検出する鍵センサーを備えた形式の電子鍵盤楽器が広く採用されている。この種の電子鍵盤楽器における鍵センサーは、各鍵に対応して鍵盤の棚板または筬上に配設された鍵盤の鍵数に相当する光センサー群と、光センサー群に対応して各鍵の裏面に固着せしめられたシャッターとによって構成され、その結果生ずるセンサー出力変化に応じて楽音発生のための電子回路を作動せしめるものである。
【０００３】
このような電子鍵盤楽器の鍵センサーは演奏時の鍵の微妙な運動も正確に電気信号に変換する必要があり、光センサー本体とシャッターとが高精度で位置決めされなければならない。殊に個々の鍵裏面に固着せしめるシャッターは、白鍵および黒鍵のそれぞれに取り付けるものであり、全体を均一かつ正確に取り付ける必要がある。
【０００４】
電子鍵盤楽器を当初より製造するにあたっては、工場において綿密な加工、取り付け作業並びに調整が行われるため、大きな問題は生じない。しかし、例えば既存のアコースティックピアノ（自然ピアノ）に電子回路を付加して自動ピアノとして使用したりあるいは消音ピアノに改造するような要請が増加している。このような要請に対しては、作業者が改造用の部品類一式を持参して現地に赴き、現地作業により対応する必要がある。
【０００５】
本発明の開示に先立ち、代表的電子鍵盤楽器としての消音ピアノの鍵盤の構造について図３を参照しつつ説明する。図３において、鍵盤は、楽器横幅にわたり延在する棚板２０の上に取り付けられた筬１上に、バランスピン５、フロントピン６、７にバランスピン５を中心に回転可能に支持されている。筬１は、筬後（おさあと）２、筬中（おさなか）３および筬前（おさまえ）４からなる。筬中３には白鍵及び黒鍵用バランスピン５が、そして筬前４には白鍵用フロントピン６および黒鍵用フロントピン７がそれぞれ鍵盤数、例えば８８鍵分にわたり立設されている。
【０００６】
白鍵８および黒鍵９は、細長い略方形の木製芯材の上面及び前面に適宜材料、例えば象牙板をはじめ、プラスチック、特殊セラミック等の化粧用の薄板材を貼付し、その下面は木製芯材の下面が露出している。各鍵の最奥下端が筬後２に接し、バランスピン５とフロントピン６または７のいずれかとに差し込まれるように取り付けられる。したがって、打鍵に応じて両頭矢印のように自在に上下動する。
【０００７】
また、電子鍵盤楽器としての信号の取り出しを行う鍵センサー１０は、通常は筬側に取り付けられた光電センサー１１と、鍵８または９の下面に取り付けられたシャッター１２との組み合わせによって構成される。鍵センサー１０は、鍵８または９の動作の有無を検出するのみでは十分な演奏はできず、打鍵の強弱をも検出しなければならない。このような打鍵の強弱を検出するために、図４に示すように一対の光電センサー１１Ａ、１１Ｂを設け、段差のあるシャッター１２の上下動による両センサー間の光遮断の時間差から強弱を判別する手段が広く採用されている。
【０００８】
かかる構成を有する電子鍵盤楽器の構成における鍵センサー１０の取り付けは、従来技術の場合、以下のように行われていた。
（１）鍵センサー１０を構成する光電センサー１１を筬または棚板の所定位置に取り付ける。
（２）光電センサー１１上にシャッター位置決め用治具をセットし、その治具に対して両面テープ付きのシャッター１２をセットする。
（３）鍵盤を通常の使用位置に相当するバランスピン５およびフロントピン６または７に差し込み、シャッター１２を鍵盤裏面に貼り付ける。
（４）シャッター１２の落下を防止するためにタッカー針を打ち込み、鍵盤裏面に固定する。
【０００９】
しかしながら、このような方法では光電センサー１１上に、シャッター１２をセットした位置決め用の治具を載置するため、上方から過度の力を加えることができない。したがって、シャッター１２の固着手段が制限され、両面テープや接着剤などのように力の加わらない取り付け方式に限定される。
【００１０】
このような貼り付け固着方式では、作業終了時点では満足すべき結果が得られたとしても経時的劣化の懸念があり、剥離・落下防止のためにタッカー針により固定する必要が生じる。かかるシャッター１２の取り付け固着作業は、通常のピアノの場合８８鍵全てについて高い技能を有する作業者により正確に実施する必要があり、膨大な労力及び長い作業時間を要するものであることからその精度の確保に加えて作業効率の向上策が求められていた。
【００１１】
【発明が解決しようとする課題】
本発明は、かかる従来技術における欠点を解消し、電子鍵盤楽器における鍵センサー、特に取り付け固着が容易であるシャッターの構造ならびにその取り付け方法を提供することを課題とする。
【００１２】
【課題を解決するための手段】
本発明の課題は、電子鍵盤楽器における打鍵の動作並びに強弱を光電的に検出するための鍵センサーにおいて、鍵の動作に応じてセンサー受光部への入射光を変化せしめるために鍵裏面に取り付けられるシャッターが、鍵裏面の木製芯材に対して打ち込み固定可能な突起部とセンサー受光部への入射光を変化せしめるためのシャッター本体とが形成された金属薄板であって、前記突起部は一部に鍵裏面と平行する面を残して鍵裏面方向に直角に曲げ加工され、前記シャッター本体は前記突起部と反対方向に直角に曲げ加工されて形成された電子鍵盤楽器の鍵センサー用シャッターの構造によって解決される。
【００１３】
また、本発明に係る前記鍵裏面方向に直角に曲げ加工された薄板突起部の配置方向と鍵盤木部の木理方向が一致していることを特徴とする。
【００１４】
さらに本発明の他の課題は、電子鍵盤楽器における打鍵の動作並びに強弱を光電的に検出するための鍵センサーの取り付け方法において、鍵盤の鍵数に相当する一群の光電センサーと同じ間隔を有するシャッター取り付け治具３０に対して、鍵裏面の木製芯材に対して打ち込み固定可能な突起部１２Ａを上向きとして配設し、該シャッターの配設された治具３０を該電子鍵盤楽器の棚板２０又は筬１上の光電センサー取り付け位置に配設し、その上にそれぞれの鍵を配置し、さらに各鍵を下方に押圧して前記治具３０上の各シャッターの打ち込み固定可能な突起部１２Ａを鍵裏面の木製芯材に対して打ち込み固定し、その後治具３０を取り外し、該取り外し跡に一群の光電センサーを取り付け固定する、電子鍵盤楽器における鍵センサー取り付け方法によって解決される。
【００１５】
図１に示すように、シャッター１２は、上述のように上方に突出し鍵裏面の木製芯材に打ち込まれて固着せしめられる突起部１２Ａを有している。この突起部１２Ａを鍵の長手方向に沿う向きにした際に、鍵の長手方向と交差する向きに垂下するシャッター本体１２Ｓが形成されている。
【００１６】
本発明において使用されるシャッター取り付け用治具３０は、鍵盤の鍵数に相当する一群の光電センサー１１の間隙に相当するシャッター挿入用切り込み３１が形成され、全体寸法に相当する形状に構成されている。シャッター１２の取り付け作業に際しては、シャッター取り付け用治具３０のそれぞれの切り込み３１に対して突起部１２Ａを上にしてシャッター本体１２Ｓを各切り込み３１に配設する。
【００１７】
このように、全てのシャッター１２を配設したシャッター取り付け用治具３０を、鍵盤の筬１又は棚板２０の上の光電センサー取り付け位置に配置して仮止めする。この場合シャッター１２の垂下部であるシャッター本体１２Ｓが、光電センサー１１の投光部及び受光部間の間隙に正確に位置づけられるべきことは言うまでもない。
【００１８】
シャッター取り付け用治具３０が筬１又は棚板２０の上に仮止めされた後、白鍵８または黒鍵９をバランスピン５およびフロントピン６、７を介して取り付け、さらに上方より強い押圧力を加えることにより、シャッター１２の突起部１２Ａを鍵裏面に挿通せしめるものである。この場合、突起部１２Ａの薄板の配置方向と鍵盤木部の木理方向が一致しており、また鍵８、９の下面は、長手方向に沿った木理を有する木製芯材のままであるため、突起部１２Ａの打ち込み固定を容易に行うことができる。
【００１９】
その後、鍵を上向きに持ち上げれば、シャッター１２はシャッター取り付け用治具３０から離脱して鍵８または９の裏面に強固に固着せしめられており、仮止めされているシャッター取り付け用治具３０を取り外し、その取り外し跡に一群の光電センサー１１を取り付け固定する。
【００２０】
シャッター取り付け用治具３０によるシャッター１２の位置は予め正確に規定されているから、光電センサー１１の所定部位にシャッター本体１２Ｓが位置づけられることになる。なお、シャッター１２の突起部１２Ａは鍵８または９の裏面の木製芯材に打ち込み固定されており、タッカー針等によるその後の固定手段は不要となる。また、シャッター取り付け作業に際して光電センサー１１を取り付けていないため過度の衝撃や他物との接触等により光電センサーが損傷を被ることがない。
【００２１】
なお、このような本発明に係る鍵動作の検出は、鍵の下面にのみ限定されるものではなく、例えばピアノの場合、鍵盤から打弦ハンマーに至るまでの適宜運動部位に付加することも可能である。
【００２２】
【発明の実施の形態】
次に、本発明の実施の形態につき添付図を参照しつつ説明する。図１は本発明にかかる電子鍵盤楽器の鍵センサーのためのシャッターの構造例を示すものであり、図１（Ａ）は加工前材料の平面図、図１（Ｂ）は加工後の斜視図である。
【００２３】
シャッター１２は、金属薄板を素材として図（Ａ）に示すように突起部１２Ａ、シャッター本体１２Ｓのようにプレス加工しておき、次いで、図（Ｂ）に示すように一点鎖線部を山折り、破線部を谷折りとしてそれぞれ直角に曲げ加工したものである。ここで、このシャッターの突起部１２Ａの薄板の形成方向は鍵盤裏面の木理方向と一致するように構成される。
【００２４】
シャッター１２の材質には格別の制限はないが、鋼、ステンレス鋼、銅合金、アルミ合金等とすることができる。いずれの場合であっても、長期間での経年劣化が少なく、少なくとも突起部１２Ａが押圧力によって鍵裏面に直接打ち込まれる際に曲がりや変形の生じないものであることが要求される。
【００２５】
図（Ａ）の下方であるシャッター１２の下端は、鍵の初期動作に応じて光電センサーの一方を遮光するための部分１２Ｕおよび打鍵強度を検出するために若干遅れて他方の光電センサーを遮光する部分１２Ｖとから構成されている。
【００２６】
しかしながら、シャッター１２のこのような形状は例示に過ぎず、縦横寸法比、折り曲げ線の位置、端部形状等は適宜選定または変更可能なものである。
【００２７】
次いで、本発明にかかる鍵センサー１０のシャッター１２を各鍵の裏面に取り付けるための方法について説明する。先ず、図２（Ａ）に示すように使用すべき光電センサー群の個々の光電センサーにおけるシャッタースリットに適合する位置にシャッター本体１２Ｓを挿通するための切り込み３１を鍵盤数設け、シャッターを差し込み棚板又は筬に設置されたときシャッターの位置が鍵盤に固定された場合の高さになるような高さを有したシャッター取り付け用治具３０を用意し、それぞれの切り込み３１にシャッター本体１２Ｓを上方から差し込みセットする。
【００２８】
図２（Ｂ）は、シャッター１２が差し込まれた治具３０を、鍵盤の基礎部材である筬１の上の本来光電センサー１１が配設されるべき部位に配設し、例えば両面テープ等によって仮止めした状態を示すものである。この状態では、該治具３０の上面から鍵盤数、例えば８８鍵に相当するシャッターの突起部１２Ａが、鍵８または９の長手方向に沿う向きで突出している。なお、ここではシャッター１２が差し込まれた治具３０を筬１の上に仮止めした場合を示したが、この治具３０は筬の上に限定されるものではなく構造によっては棚板２０の上に仮止めされてもよい。
【００２９】
このような状態において、図２（Ｃ）に示すように、筬中３から突出しているバランスピン５および筬前４から突出しているフロントピン６、７に対して鍵８または９をセットして第１段の押圧Ｆ１  を行い、さらに上方より太い矢印のように第２段の押圧Ｆ２  を行う。この押圧力によって、治具３０から上方に突出しているシャッター突起部１２Ａは、鍵８または９の木製芯材の木理方向に沿っていることもあり、鍵８、９の木製芯材内に容易に打ち込まれ固定される。
【００３０】
また、シャッター１２の突起部１２Ａは鍵８または９の裏面の木製芯材に打ち込まれ強固に固定されているので、タッカー針等によるその後の固定手段は不要となる。また、本発明にかかる取り付け方法においては、シャッター取り付け作業に際して光電センサーを取り付けていないために過度の衝撃や他物との接触等により光電センサーを損傷させることがない。
【００３１】
その後、鍵８、９を上方に持ち上げると、シャッター１２は鍵に付随して上方に引き上げられる。かかる作業を全ての鍵に対して実行すると、治具３０からは全てのシャッター１２が離脱し、仮止め状態を外すことにより容易に筬１または棚板２０から除去される。このように筬１または棚板２０上の治具３０の取り外し跡に光電センサー１１を取り付けることにより、鍵裏面にそれぞれ打ち込まれ強固に固定されたシャッター１２とあいまって正確かつ確実な対応関係を有する鍵センサー１０が形成される。
【００３２】
【発明の効果】
本発明にかかる電子鍵盤楽器の鍵センサー、特にシャッターの構造ならび該構造を活かした取り付け方法によれば、各鍵の裏面に対して正確かつ効率良くシャッターの取り付けが行われる。特にシャッター取り付け用治具の仮止め位置さえ確実であれば、作業者の熟練の度合いにさほど左右されずに取り付け作業が行われ、取り付け上の誤差も極めて小さくすることができる。当然ながら、取り付け作業時間の短縮も図れ、作業効率の向上が可能となる。
【図面の簡単な説明】
【図１】本発明にかかる電子鍵盤楽器の鍵センサーのためのシャッターの構造例を示す図である。
【図２】本発明にかかる電子鍵盤楽器の鍵センサーのためのシャッターの取り付け手順例を示す説明図である。
【図３】電子鍵盤楽器の鍵盤部の概略構成を示す側面図である。
【図４】電子鍵盤楽器における鍵センサーのシャッターと光電センサーの関連を説明する図である。
【符号の説明】
１      筬
２      筬後
３      筬中
４      筬前
５      バランスピン
６、７  フロントピン
８      白鍵
９      黒鍵
１０      鍵センサー
１１      光電センサー
１２      シャッター
１２Ａ    突起部
１２Ｓ    シャッター本体
２０      棚板
３０      シャッター取り付け用治具
３１      シャッター挿入用切り込み
【図１】
0003579583.tif 000002
【図２】
0003579583.tif 000003
【図３】
0003579583.tif 000004
【図４】
0003579583.tif 000005